(57)【要約】【課題】通信品質が高く、かつ、、回線異常が検出された際には、速やかな対応が出きるようにした通信装置を提供する。【解決手段】半導体ＤＡＡの１次側である回線制御部１１に回線電流を検出する回線電流検出部２３と、回線の線間電圧を検出する線間電圧検出部２４とを設ける。そして、システム部３２で回線電流及び線間電圧に基づき、回線のインピーダンスを検出して、当該インピーダンスによりモデム３１からの信号の送出レベルを調整する。【選択図】　　　図１
2004112490.tif 000002
【特許請求の範囲】
【請求項１】
回線網と接続された回線制御部及び、該回線制御部に絶縁回路を介して接続されたシリアルＩＦからなり、前記回線網を制御すると共にデータの送受信を行う半導体ＤＡＡと、送受信するデータの変復調を行うモデムと、前記半導体ＤＡＡ及びモデムを制御して通信を行うシステム部とを備えた通信装置において、
前記回線制御部が、回線電流を検出する回線電流検出部と、回線の線間電圧を検出する線間電圧検出部とを備え、
前記システム部が、前記回線電流及び線間電圧に基づき、回線のインピーダンスを検出して、当該インピーダンスにより前記モデムからの信号の送出レベルを調整することを特徴とする通信装置。
【請求項２】
前記システム部が、前記回線電流検出部により検出された回線電流が予め設定された範囲内に納っているか否かを判断して、納っていない場合には回線異常としてユーザにその旨を通知させることを特徴とする請求項１記載の通信装置。
【請求項３】
前記システム部が、前記線間電圧検出部により検出された線間電圧が予め設定された範囲内に納っているか否かを判断して、納っていない場合には回線異常としてユーザにその旨を通知させることを特徴とする請求項１記載の通信装置。
【請求項４】
前記回線電流検出部及び線間電圧検出部が回線電流及び線間電圧の検出を行う際には、前記システム部からの検出開始信号に基づき行うようにしたことを特徴とする請求項１乃至いずれか１項記載の通信装置。
【発明の詳細な説明】
【０００１】
【発明の属する技術分野】
本発明は、回線の状態に応じてモデムの送信レベルが調整できるようにした通信装置に関する。
【０００２】
【従来の技術】
一般の公衆回線のように２線式の回線で接続される回線では、電話局までの線路長によって線路抵抗が変化する。この影響で回線に流れる電流値が変化するので、線路抵抗が高い場合は、十分な電流が流れなくなり正常に通信できないことや、交換機側までの減衰が大きくなり通信品質が劣化する場合がある。
【０００３】
また、構内交換機を介して接続されている場合は、交換機の特性によって電流値が変化するため、通信品質が変化する可能性がある。
【０００４】
そこで、回線電流を検出して２線４線変換回路のインピーダンスを整合することにより側音の発生を抑えたり、加入者回線の給電方式の変更による通話品質の劣化を防止するために、線路抵抗を検出する回路を設けて調整する提案がなされている（特許文献１，２参照）。
【０００５】
従来の回線を制御する網制御部は、回線と接続される１次側と、この１次側にトランスにより絶縁されて接続される２次側とを主要構成とするが、このような構成の場合に１次側の電流値を検出するときは一般にホール素子等による電流検出機能をもつ電流センサが使用される。
【０００６】
このセンサは、１次側の回線電流をフェライトに巻いたコイルでで検出するもので、回線電流による磁界をホール素子で検出して、回線電流に比例した電圧値を出力するようになっている。
【０００７】
なお、この検出した回線電圧はアナログ電圧であるため、そのままでは演算処理等を行うことが困難なためディジタル電圧に変換して用いられるが、このために電流センサに加えＡ／Ｄ変換も必要になって、実装箇所を確保して設計することが難しく、コストアップになっている。
【０００８】
また、回線の線間電圧を検出する場合も、回線を閉結していない状態で検出するためには検出用の回路と検出値をＡ／Ｄ変換する回路が必要になり、さらにかかる検出用の回路等は１次側に設けられるため雷等のサージに対しても耐性をもつ必要があり、実装箇所を確保が困難でありコストアップの要因となっている。
【０００９】
このような背景の下、近年の半導体技術やアイソレーション技術の進歩に伴い、トランスの機能を半導体素子等によって代用するデバイスが登場し普及しつつある。
【００１０】
これら半導体素子を用いた半導体ＤＡＡ（Ｄａｔａ　Ａｃｃｅｓｓ　Ａｒｒａｎｇｅｍｅｎｔ）は、半導体で構成されるため、単に従来のトランスの機能の置換えだけでなく、他の機能も実装することで高機能化することが可能となっている（特許文献３参照）。
【００１１】
【特許文献１】
特開平０７−２８８５７７号公報
【特許文献２】
特開平０８−２３３８７８号公報
【特許文献３】
特開平０６−０９８０３８号公報
【００１２】
【発明が解決しようとする課題】
しかしながら、回線電流値や電圧値を検出する回路を設けることは、これらの実装箇所の確保も困難であり、また部材のコストも要するため装置のコストアップの要因になる問題がある。
【００１３】
また、電流値や電圧値に異常が検出された場合でも、その原因を特定することが困難である問題があった。
【００１４】
そこで、本発明は、通信品質が高く、かつ、、回線異常が検出された際には、速やかな対応が出きるようにした通信装置を提供することを目的とする。
【００１５】
【課題を解決するための手段】
上記課題を解決するため、請求項１にかかる発明は、回線網と接続された回線制御部及び、該回線制御部に絶縁回路を介して接続されたシリアルＩＦからなり、回線網を制御すると共にデータの送受信を行う半導体ＤＡＡと、送受信するデータの変復調を行うモデムと、半導体ＤＡＡ及びモデムを制御して通信を行うシステム部とを備えた通信装置において、回線制御部が、回線電流を検出する回線電流検出部と、回線の線間電圧を検出する線間電圧検出部とを備え、システム部が、回線電流及び線間電圧に基づき、回線のインピーダンスを検出して、当該インピーダンスによりモデムからの信号の送出レベルを調整することを特徴とする。
【００１６】
請求項２にかかる発明は、システム部が、回線電流検出部により検出された回線電流が予め設定された範囲内に納っているか否かを判断して、納っていない場合には回線異常としてユーザにその旨を通知させることを特徴とする。
【００１７】
請求項３にかかる発明は、システム部が、線間電圧検出部により検出された線間電圧が予め設定された範囲内に納っているか否かを判断して、納っていない場合には回線異常としてユーザにその旨を通知させることを特徴とする。
【００１８】
請求項４にかかる発明は、回線電流検出部及び線間電圧検出部が回線電流及び線間電圧の検出を行う際には、システム部からの検出開始信号に基づき行うようにしたことを特徴とする。
【００１９】
【発明の実施の形態】
本発明の実施の形態を図を参照して説明する。図１は、本発明の実施実施の形態の説明に適用される通信装置の概略構成を示すブロック図である。
【００２０】
当該通信装置は、回線制御部１１、シリアルＩＦ部１２、絶縁回路１３、ダイオードブリッジ１７、切断回路１８、モデム３１、システム部３２等を有している。
【００２１】
そして、回線制御部１１、シリアルＩＦ部１２、絶縁回路１３が半導体製の網制御部（半導体ＮＣＵ）１０を構成し、回線制御部１１及びシリアルＩＦ部１２は、半導体ＤＡＡにより構成されている。
【００２２】
この回線制御部１１は、送受信部２１、閉結認識部２２、回線電流検出部２３、線間電圧検出部２４等を有し、回線側に配置されて局給電により動作する。
【００２３】
シリアルＩＦ部１２は、通信装置本体側に配置され、回線制御部１１とシリアルＩＦにてデ−タの受け渡しを行うものである。
【００２４】
して、シリアルＩＦ部１２とデ−タ受け渡しを行うことによって回線制御及びデ−タの送受信を行うものであり、また回線電流や線間電圧を検出する。
【００２５】
回線制御部１１における送受信部２１は、回線からのデータを受信してシリアルＩＦ部１２、モデム３１を介してシステム部３２に送り、また当該システム部３２からのデータを回線を介して相手先に送信するものである。
【００２６】
閉結認識部２２は、切断回路１８により回線の直流ループの閉結・解放等を判断するものである。当該切断回路１８は、局給電により動作して回線制御部１１と回線との接続を制御するものである。
【００２７】
回線電流検出部２３は、回線に流れる電流を検出し、線間電圧検出部２４は回線の間の電圧を検出するものである。
【００２８】
そして、これら回線電流検出部２３や線間電圧検出部２４はシステム部３２からの検出実行信号により、回線電流や線間電圧を検出して、回線の網制御機能の制御信号と同様の信号に変換されて、シリアルＩＦ部１２を介してシステム部３２に送られる。
【００２９】
絶縁回路１３は、回線制御部１１とシリアルＩＦ部１２とを直流的に絶縁状態に接続して、デ−タを送受信するためのデ−タ受け渡を行う回路で、リニアカプラ，トランス，コンデンサ等等により構成されている。
【００３０】
モデム３１は、送受信するデータの変復調を行うものであり、システム部３２は通信装置の全体制御すると共に、回線電流検出部２３や線間電圧検出部２４からの回線電流及び線間電圧から回線のインピーダンスを算出し、算出したインピーダンスに基づいてモデム３１の送出レベルを変更するものである。
【００３１】
このような構成で、モデム３１における送出レベルの変更手順を図２を参照して説明する。先ず、線間電圧の検出が行われ（ステップＳＡ１）、次いで回線の閉結状態を判断する（ステップＳＡ２）。従って、線間電圧の検出は、回線が閉結状態にかかわらず行われる。
【００３２】
そして、回線が閉結していない場合は、再び一定時間経過するまで待機して、当該時間経過後に再び宇検出を行う（ステップＳＡ４，ステップＳＡ２）。
【００３３】
一方、送信や受信等の動作により回線が閉結している場合には、回線電流値の検出を行う（ステップＳＡ３）。
【００３４】
このようにして検出した線間電圧と回線電流とから、回線のインピーダンスを算出し（ステップＳＡ５）、この回線インピーダンスの値が、予め設定しておいた範囲にあるか否かを判断する（ステップＳＡ６）。
【００３５】
回線インピーダンスの値が、予め設定しておいた範囲より大きい場合は、モデム３１の送出レベル（Ｔｘ）を一定量（α）だけ高くした値（Ｔｘ＝Ｔｘ＋α）に設定して（ステップＳＡ８）、通信処理を行う（ステップＳＡ１０）。
【００３６】
また、回線インピーダンスの値が、予め設定しておいた範囲より低い場合は、送出レベル（Ｔｘ）を一定量（α）だけ小さくした値（Ｔｘ＝Ｔｘ−α）に設定して（ステップＳＡ９）、通信処理を行う（ステップＳＡ１０）。
【００３７】
このようにして通信処理が終了すると、ステップＳＡ４に戻り、再び一定時間経過するまで待機してステップＳＡ１からの処理を繰返す。
【００３８】
なお、上記説明では、常に線間電圧と回線電流との検出を行う場合について説明したが、本発明はこれに限定されるものではなく、通信装置の設置時や、当該通信装置を移設した時のように異なる回線に接続した場合に、ユーザの指示によりモデム３１の送出レベル調整を実行するようにしても良い。
【００３９】
また、通常回線条件は頻繁に変化するものではないので、１週間に１回のように任意に設定した間隔でモデム３１の送出レベル調整を実行するようにしても良い。
【００４０】
さらに、ステップＳＡ４に示す時間間隔も機器や回線の特性にあわせて任意に設定するようにしてもよい。
【００４１】
以上説明したように、半導体ＤＡＡを構成する回線制御部１１に回線電流検出部２３や線間電圧検出部２４を設けたので、自動的に最適なモデムの送出レベルに調整でき、通信品質が向上すると共に、一連の半導体プロセスで当該半導体ＤＡＡにおける他の構成要素と共に形成することが可能になって、装置の小型化やコストダウンが図られる。
【００４２】
次に、本発明の第２の実施の形態を図を参照して説明する。なお、第１の実施の形態と同一構成に関しては同一符号を用い説明を適宜省略する。
【００４３】
先の実施の形態においては、回線電流と共に線間電圧をも検出して、これらに基づき回線のインピーダンスを算出することによりモデム３１の送出レベル調整を行うようにした。
【００４４】
このとき、回線に異常があっても、回線電流と線間電圧とに基づきモデム３１の送出レベル調整を行うようにするが、かかる異常がある場合には適正にモデム３１の送出レベルが調整できない場合も想定される。
【００４５】
そこで、本実施の形態では、回線電流の値から回線異常が発生していると判断された場合に、その旨をユーザに通知できるようにしたものである。
【００４６】
かかる回線異常の場合における通知手順を図３に示すフローチャートに従い説明する。先ず、回線電流の検出を行うべく回線の閉結を確認する（ステップＳＢ１）。
【００４７】
回線が閉結している場合には、回線電流の検出を行い（ステップＳＢ２）、この検出した回線電流が予め設定された範囲内に納っているか否かを判断する（ステップＳＢ３）。
【００４８】
本実施の形態では、予め設定された範囲として上限値（Ｉｍａｘ）と下限値（Ｉｍｉｎ）を予め記憶するようにしている。
【００４９】
この結果、検出した回線電流が設定範囲内である場合は、一定時間経過するまで待機し（ステップＳＢ４）、当該時間経過後（ステップＳＢ４）、再び回線電流の検出及び適正範囲か否かの判断を行う。
【００５０】
一方、検出した回線電流が設定範囲内に納っていない場合は、回線、交換機、通信装置と回線との接続状態等に異常があるとが考えられるので、ユーザに回線電流が異常である旨を通知する（ステップＳＢ５）。
【００５１】
ところで、上述した説明では回線異常を検出するために回線電流を検出した。
しかし、線間電圧を検出して、その値から回線異常を判断する事が可能である。
【００５２】
この場合は、図４に示すように、先ず、線間電圧の検出を行うべく回線の閉結を確認する（ステップＳＣ１）。
【００５３】
回線が閉結している場合には、線間電圧の検出を行い（ステップＳＣ２）、この検出した線間電圧が予め設定された範囲内に納っているか否かを判断する（ステップＳＣ３）。
【００５４】
予め設定された範囲として上限値（Ｖｍａｘ）と下限値（Ｖｍｉｎ）を予め記憶するようにしている。
【００５５】
この結果、検出した線間電圧が設定範囲内である場合は、一定時間経過するまで待機し（ステップＳＣ４）、当該時間経過後（ステップＳＣ４）、再び線間電圧の検出及び適正範囲か否かの判断を行う。
【００５６】
一方、検出した線間電圧が設定範囲内に納っていない場合は、回線、交換機、通信装置と回線との接続状態等に異常があるとが考えられるので、ユーザに線間電圧が異常である旨を通知する（ステップＳＣ５）。
【００５７】
なお、ユーザに異常を知らせる方法としては、警告音や音声を使用して通知してもよく、機器の状態を示すランプを点滅等させて通知するようにしてもよい。
無論、これらを複合して通知するようにしてもよい。
【００５８】
また、通信装置が操作部を有する場合は、操作部上に表示する構成としても良く、印字装置を有する場合は、不具合の発生と推定原因をレポートとして出力する構成としても良い。
【００５９】
これにより、ユーザは迅速な対応が可能になり、信頼性が向上する。
【００６０】
【発明の効果】
以上説明したように請求項１にかかる発明によれば、半導体ＤＡＡの１次側である回線制御部に回線電流を検出する回線電流検出部と、回線の線間電圧を検出する線間電圧検出部とを設けたので、自動的に最適なモデムの送出レベルに調整でき、通信品質が向上すると共に、一連の半導体プロセスで当該半導体ＤＡＡにおける他の構成要素と共に形成することが可能になって、装置の小型化やコストダウンが図られる。
【００６１】
請求項２にかかる発明によれば、システム部が、回線電流検出部により検出された回線電流が予め設定された範囲内に納っているか否かを判断して、納っていない場合には回線異常としてユーザにその旨を通知させるようにしたので、利便性及び信頼性が向上する。
【００６２】
請求項３にかかる発明によれば、システム部が、線間電圧検出部により検出された線間電圧が予め設定された範囲内に納っているか否かを判断して、納っていない場合には回線異常としてユーザにその旨を通知させるようにしたので、利便性及び信頼性が向上する。
【００６３】
請求項４にかかる発明によれば、回線電流検出部及び線間電圧検出部が回線電流及び線間電圧の検出を行う際には、システム部からの検出開始信号に基づき行うようにしたので、簡単な制御で自動的に最適なモデムの送出レベルに調整でき、通信品質が向上する。
【図面の簡単な説明】
【図１】本発明の実施の形態の説明に適用される通信装置の概略構成を示すブロック図である。
【図２】第１の実施の形態の説明に適用されるモデムの送出レベル調整手順を示すフローチャートである。
【図３】第２の実施の形態の説明に適用される回線電流による回線異常が検出された際の処理手順を示すフローチャートである。
【図４】第３の実施の形態の説明に適用される線間電圧による回線異常が検出された際の処理手順を示すフローチャートである。
【符号の説明】
１０　網制御部（半導体ＮＣＵ）
１１　回線制御部
１２　シリアルＩＦ部
１８　切断回路
２１　送受信部
２２　閉結認識部
２３　回線電流検出部
２４　線間電圧検出部
３１　モデム
３２　システム部
【図１】
2004112490.tif 000003
【図２】
2004112490.tif 000004
【図３】
2004112490.tif 000005
【図４】
2004112490.tif 000006